(57)【要約】  本発明は、バックキャビネットを有する筐体と、この筐体の内部に設置された平面型表示パネルと、この平面型表示パネルの背面側に配置されたバックライト装置（４）と、平面型表示パネルに画像を表示するための駆動回路を構成する回路基板とを備えたディスプレイ装置において、バックキャビネット（７）に、バックライト装置（４）、回路基板が収容可能な空間部を設け、バックキャビネット（７）内に、バックライト装置（４）および回路基板を収容して取り付ける。さらに、平面型表示パネルを収容する位置に、平面型表示パネルと同一形状のダミーパネル（３０）を配置して梱包して搬送するものである。  本発明により、平面型表示パネルの破損を防ぐとともに、バックライト装置や回路基板の梱包に別の梱包部材を必要としないという効果が得られる。
2012114701.tif 000002
【特許請求の範囲】
【請求項１】
バックキャビネットを有する筐体と、この筐体の内部に設置された平面型表示パネルと、この平面型表示パネルの背面側に配置されたバックライト装置と、前記平面型表示パネルに画像を表示するための駆動回路を構成する回路基板とを備えたディスプレイ装置において、前記バックキャビネットに、前記バックライト装置、前記回路基板が収容可能な空間部を設け、前記バックキャビネット内に、前記バックライト装置および前記回路基板を収容して取り付けるとともに、前記平面型表示パネルを収容する位置に、前記平面型表示パネルと同一形状のダミーパネルを配置して梱包して搬送するディスプレイ装置の製造方法。
【請求項２】
バックキャビネットを有する筐体と、この筐体の内部に設置された平面型表示パネルと、この平面型表示パネルの背面側に配置されたバックライト装置と、前記平面型表示パネルに画像を表示するための駆動回路を構成する回路基板とを備えたディスプレイ装置において、前記バックキャビネットに、前記バックライト装置、前記回路基板が収容可能な空間部を設け、前記バックキャビネット内に、前記バックライト装置および前記回路基板を収容して取り付けるとともに、前記平面型表示パネルを収容する位置に、前記平面型表示パネルと同一形状のダミーパネルを配置して梱包し、前記平面型表示パネルは別に梱包して搬送し、前記ディスプレイ装置の組み立てを行う際に、前記バックキャビネットに取り付けたダミーパネルを取り外し、その後、前記平面型表示パネルを取り付けるディスプレイ装置の製造方法。
【発明の詳細な説明】
【技術分野】
【０００１】
本発明は、テレビジョン受像機やモニター装置に使用される液晶表示装置等のディスプレイ装置の製造方法に関するものである。
【背景技術】
【０００２】
液晶表示装置は、平面型のディスプレイ装置として、一般家庭は勿論のこと、業務用として、需要が拡大している。【０００３】
一般的に液晶表示装置は、平面型の液晶表示パネルの背面側に、面光源としてのバックライト装置を配置して形成した表示モジュールを備える。また、この表示モジュールは、フロントキャビネットとバックキャビネットを有する薄型の筐体の内部に収容されている（特許文献１参照）。【０００４】
液晶表示装置は、例えば、次のようにして完成される。パネルメーカーが液晶表示パネルを製造してテレビメーカーなどの完成品メーカーに納入する。完成品メーカーは液晶表示パネルと面光源としてのバックライト装置とを組み合わせて表示モジュールを作製する。その表示モジュールは液晶表示パネルの駆動回路基板とともに、フロントキャビネットとバックキャビネットを有する薄型の筐体の内部に収容する。このようにすれば、液晶表示装置が完成する。【０００５】
また、完成品メーカーは、液晶表示装置を販売する地域、またはその地域に近い地域に、製品を組み立てる工場を建設して、販売する地域に対応するデザイン、機能を備えた完成品の組立てを行い、販売するようにしている。【０００６】
このような現状において、全世界において需要が拡大するに伴い、完成品として組み立てる際の組立て工数の削減および組み立て易さが求められる。また、組立てを行う工場に表示モジュールなどを輸送する場合の梱包方法の簡素化が求められている。
【先行技術文献】
【特許文献】
【０００７】
【特許文献１】特開２００９−１３９４２６号公報
【発明の概要】
【０００８】
本発明は、バックキャビネットを有する筐体と、この筐体の内部に設置された平面型表示パネルと、この平面型表示パネルの背面側に配置されたバックライト装置と、平面型表示パネルに画像を表示するための駆動回路を構成する回路基板とを備えたディスプレイ装置において、バックキャビネットに、バックライト装置、平面型表示パネルおよび平面型表示パネルに画像を表示するための駆動回路を構成する回路基板が収容可能な空間部を設け、バックキャビネット内に、バックライト装置および回路基板を収容して取り付けるとともに、平面型表示パネルを収容する位置に、平面型表示パネルと同一形状のダミーパネルを配置して梱包して搬送するものである。
【図面の簡単な説明】
【０００９】
【図１】図１は本発明の一実施の形態において、液晶表示装置の外観を示す正面図である。
【図２】図２は同液晶表示装置において、スタンドを取り外した状態を示す斜視図である。
【図３】図３は同液晶表示装置の全体構成の回路ブロックを示すブロック図である。
【図４】図４は同液晶表示装置の回路ブロックの配置例を説明するためにバックキャビネットを取り除いた状態を示す平面図である。
【図５】図５は同液晶表示装置を図２の５−５線で切断した状態を示す断面図である。
【図６】図６は図５のＢ部を拡大して示す拡大図である。
【図７】図７は同液晶表示装置の各部を分解して示す斜視図である。
【図８】図８は同液晶表示装置のバックキャビネットの内壁面を示す斜視図である。
【図９】図９は同液晶表示装置のバックライト装置を分解した状態を示す斜視図である。
【図１０Ａ】図１０Ａは本発明によるディスプレイ装置の製造方法を説明するための一説明図である。
【図１０Ｂ】図１０Ｂは本発明によるディスプレイ装置の製造方法を説明するための一説明図である。
【図１０Ｃ】図１０Ｃは本発明によるディスプレイ装置の製造方法を説明するための一説明図である。
【発明を実施するための形態】
【００１０】
以下、本発明の一実施の形態によるディスプレイ装置の製造方法について、液晶表示装置に使用する表示モジュールを例にとって図面を参照しながら説明する。
【００１１】
図１は本発明の一実施の形態において、液晶表示装置の外観を示す正面図、図２は同液晶表示装置において、スタンドを取り外した状態を示す斜視図、図３は同液晶表示装置の全体構成の回路ブロックを示すブロック図、図４は同液晶表示装置の回路ブロックの配置例を説明するためにバックキャビネットを取り除いた状態を示す平面図、図５は同液晶表示装置を図２の５−５線で切断した状態を示す断面図、図６は図５のＢ部を拡大して示す拡大図、図７は同液晶表示装置の各部を分解して示す斜視図である。
【００１２】
まず、図１、図２に示すように、液晶表示装置は、表示装置本体１と、この表示装置本体１を立てた状態で保持するスタンド２とを有している。表示装置本体１は、平面型表示パネルである液晶表示パネル３とバックライト装置４（図５に図示）とからなる表示モジュールを樹脂成型品などからなる筐体５内に収容することにより構成されている。また、筐体５は、液晶表示パネル３の画像表示領域に対応するように開口部６ａを設けたフロントキャビネット６と、このフロントキャビネット６と組み合わせられるバックキャビネット７とから構成されている。なお、６ｂはスピーカの音を外部に放出するためのスピーカグリルである。
【００１３】
また、図３、図４に示すように、液晶表示装置全体の概略構成は、液晶表示パネル３に画像を表示する駆動回路を備える。さらに、バックライト装置４の点灯を制御する点灯制御回路を備えた信号処理回路ブロック８と、液晶表示パネル３、バックライト装置４および信号処理回路ブロック８に電源電圧を供給するための電源ブロック９と、テレビジョン放送を受信して信号処理回路ブロック８に受信信号を供給するチューナ１０と、音を出力するためのスピーカ１１とから構成されている。また、信号処理回路ブロック８、電源ブロック９は、それぞれ回路基板に回路を構成する部品を搭載することにより構成されている。そして、信号処理回路ブロック８、電源ブロック９、チューナ１０などを搭載した回路基板は、バックライト装置４の背面とバックキャビネット７との間の空間に配置されるように取り付けられている。
【００１４】
なお、図３においては、スピーカを省略して示している。また、図４において、１２はＤＶＤプレーヤーなどの外部機器からの映像信号を液晶表示装置に入力するための外部信号入力端子で、信号処理回路ブロック８に搭載されている。
【００１５】
ここで、図５〜図７に示すように、本発明の液晶表示装置において、バックキャビネット７は、液晶表示パネル３とバックライト装置４からなる表示モジュール、および回路基板を収容可能な空間部７ａを有する。また、空間部７ａを形成する内底面には、バックライト装置４を支持するバックライト支持部７ｂ、７ｃが設けられている。このバックライト支持部７ｂ、７ｃには、バックライト装置４のフレーム４ａがビス１３により取り付けられている。
【００１６】
また、バックキャビネット７の内底面の周縁部には、液晶表示パネル３の外周縁部を支持する樹脂成型品からなるパネル支持部材１４を保持するためのパネル支持部７ｄが設けられている。パネル支持部材１４によって液晶表示パネル３の外周縁部を支持するとともに、断面形状が略Ｌ字形状の金属製のフレーム１５によって液晶表示パネル３の外周縁部をパネル支持部材１４に押し付けることにより、液晶表示パネル３がバックキャビネット７の空間部７ａの開口部周縁部に収容配置されている。なお、３ａは液晶表示パネル３の表示面に貼り付けられている偏向フィルムである。
【００１７】
ここで、バックキャビネット７の空間部７ａの開口部に配置された液晶表示パネル３は、バックライト装置４の背面側に配置した駆動回路を構成する回路基板に、バックライト装置４の外周に沿うように配置されるフレキシブル配線版（図示せず）を介して電気的に接続されている。
【００１８】
さらに、図６に示すように、バックキャビネット７は、その外周先端部７ｅをフロントキャビネット６の内周壁面に設けた嵌め合せ片６ｃに嵌め合せている。また、フロントキャビネット６をバックキャビネット７に、フロントキャビネット６側からビスにより取り付けることにより、表示モジュールや駆動回路を搭載した回路基板を収容する筐体が構成されている。図８にバックキャビネット７の内壁面を示しており、バックキャビネット７の外周部に設けたボス部７ｆにフロントキャビネット６がビスにて取り付けられる。
【００１９】
図９は同液晶表示装置のバックライト装置を分解した状態を示す斜視図である。図９に示すように、バックライト装置４は、液晶表示パネル３を背面側から照明するものである。具体的には、フレーム４ａ内に液晶表示パネル３と平行となるように配列された複数本の線状光源１６と、フレーム４ａに蓋をするように配置された拡散板１７とを備えている。また、拡散板１７上には、拡散板１７を透過した光を拡散または集光するプリズムシートなどの光学シート１８が積層されている。フレーム４ａの内底面には、線状光源１６から発せられる光を拡散板１７側に反射する金属箔などからなる反射シート１９が略全面的に覆うように配設されているとともに、線状光源１６の延在方向に離間して、線状光源１６を保持するための一対の支持部材２０が配置されている。
【００２０】
ここで、線状光源１６としては、直管状の冷陰極蛍光ランプ（ＣＣＦＬ）が用いられており、これらが互いに平行に配列されている。そして、線状光源１６の両端部が支持部材２０で覆われている。また、フレーム４ａは、アルミニウム等の金属または樹脂で構成されるとともに、一方向に開口する箱形状をしている。箱形状のフレーム４ａは、線状光源１６の配列面と平行な底面を構成する底壁と、この底壁の周縁部から立ち上がる側壁とを有している。さらに、フレーム４ａの内底面には、拡散板１７を支持する拡散板支持部材２１が複数個配置されている。
【００２１】
拡散板１７は、線状光源１６と液晶表示パネル３との間に配設され、線状光源１６側の入射面から入射した光を拡散して液晶表示パネル３側の出射面から出射するものである。この拡散板１７は、ポリスチレンやポリカーボネートなどの透明な樹脂の射出成形により形成されている。具体的には、図９に示すように、拡散板１７は、線状光源１６を挟んで反射シート１９と反対側に配設されている。また、線状光源１６からの直射光および反射シート１９からの反射光を内部に入射させる入射面と、内部で拡散した光を出射させる出射面とを有している。上述した光学シート１８は出射面上に積層配置されている。
【００２２】
図１０Ａ〜Ｃは本発明によるディスプレイ装置の製造方法を説明するための説明図である。
【００２３】
上述したように、本発明によるディスプレイ装置には、バックキャビネット７に、バックライト装置４および液晶表示パネル３および液晶表示パネル３に画像を表示するための駆動回路を構成する回路基板が収容可能な空間部７ａを設けている。図１０Ａに示すように、バックキャビネット７内に、バックライト装置４および回路基板を収容して取り付け、液晶表示パネル３を収容する位置には、図１０Ｂに示すように、液晶表示パネル３と同一形状の樹脂板からなるダミーパネル３０を配置し、図１０Ｃに示すように、フロントキャビネット６を取り付けることにより、バックライト装置４および回路基板および筐体５の梱包を行う。一方、液晶表示パネル３は、別に梱包して搬送することにより、輸送途中の破損などを防ぐことができる。
【００２４】
そして、別々に梱包して搬送した後、ディスプレイ装置の組み立てを行う際には、図１０Ａ〜Ｃで説明した手順と逆の手順で、フロントキャビネット６を取り外し、バックキャビネット７に取り付けたダミーパネル３０を取り外す。その後、図１０Ａ〜Ｃに示す順番で、液晶表示パネル３を取り付け、液晶表示パネル３と回路基板との電気的接続を行った後、フロントキャビネット６の取り付けを行うことにより、ディスプレイ装置が完成される。なお、ダミーパネル３０は、取り外した後、回収して、再利用すればよい。なお、ダミーパネル３０は液晶表示パネル３と同一形状としているが、これは長方形状や正方形状というように、形状が同じ形状であるということを意味する。勿論、液晶表示パネル３の電気的接続のための端子部などについては、異なる形状となっている。また、ダミーパネル３０は、液晶表示パネル３と同一寸法である方が望ましいが、必ずしも全く同じ寸法である必要はない。
【００２５】
販売地域によっては、放送方式や好まれる画質、デザインが異なっており、その販売地域の顧客に応じた製品を供給する必要がある。しかし、本発明のように、梱包、搬送、組立を行う製造方法を採用すれば、販売地域の顧客に応じた製品の組立を販売地域で行う際に、供給部品の搬送が容易に行えるという効果が得られる。
【００２６】
このように本発明は、バックキャビネットを有する筐体と、この筐体の内部に設置された平面型表示パネルと、この平面型表示パネルの背面側に配置されたバックライト装置と、平面型表示パネルに画像を表示するための駆動回路を構成する回路基板とを備えたディスプレイ装置において、バックキャビネットに、バックライト装置、平面型表示パネルおよび平面型表示パネルに画像を表示するための駆動回路を構成する回路基板が収容可能な空間部を設け、バックキャビネット内に、バックライト装置および回路基板を収容して取り付けるとともに、平面型表示パネルを収容する位置に、平面型表示パネルと同一形状のダミーパネルを配置して梱包して搬送するものである。そのため、平面型表示パネルの破損を防ぐとともに、バックライト装置や回路基板の梱包に別の梱包部材を必要としないという効果が得られる。
【００２７】
また、平面型表示パネルは別に梱包して搬送し、ディスプレイ装置の組み立てを行う際に、前記バックキャビネットに取り付けたダミーパネルを取り外し、その後平面型表示パネルを取り付ける。そのため、搬送に使用したバックキャビネットを基準として、バックキャビネット内にバックライト装置、平面型表示パネル、回路基板を順次組み込むとともに、フロントキャビネットを取り付けることにより、完成品の組立てを行うことができる。したがって、別々に部品を梱包して搬送し、そして組み立てを行う場合に比べ、組み立て易くなるという効果が得られる。
【産業上の利用可能性】
【００２８】
以上のように本発明によれば、組立ての容易なディスプレイ装置を得る上で有用である。
【符号の説明】
【００２９】
１    表示装置本体
３    液晶表示パネル
４    バックライト装置
５    筐体
６    フロントキャビネット
７    バックキャビネット
７ａ    空間部
７ｂ，７ｃ    バックライト支持部
７ｄ    パネル支持部
１４    パネル支持部材
１５    フレーム
３０    ダミーパネル
【図１】
2012114701.tif 000003
【図２】
2012114701.tif 000004
【図３】
2012114701.tif 000005
【図４】
2012114701.tif 000006
【図５】
2012114701.tif 000007
【図６】
2012114701.tif 000008
【図７】
2012114701.tif 000009
【図８】
2012114701.tif 000010
【図９】
2012114701.tif 000011
【図１０Ａ】
2012114701.tif 000012
【図１０Ｂ】
2012114701.tif 000013
【図１０Ｃ】
2012114701.tif 000014
【手続補正書】
【提出日】平成25年3月4日(2013.3.4)
【手続補正１】
【補正対象書類名】明細書
【補正対象項目名】全文
【補正方法】変更
【補正の内容】
【発明の詳細な説明】
【技術分野】
【０００１】
本発明は、テレビジョン受像機やモニター装置に使用される液晶表示装置等のディスプレイ装置の製造方法に関するものである。
【背景技術】
【０００２】
液晶表示装置は、平面型のディスプレイ装置として、一般家庭は勿論のこと、業務用として、需要が拡大している。
【０００３】
一般的に液晶表示装置は、平面型の液晶表示パネルの背面側に、面光源としてのバックライト装置を配置して形成した表示モジュールを備える。また、この表示モジュールは、フロントキャビネットとバックキャビネットを有する薄型の筐体の内部に収容されている（特許文献１参照）。
【０００４】
液晶表示装置は、例えば、次のようにして完成される。パネルメーカーが液晶表示パネルを製造してテレビメーカーなどの完成品メーカーに納入する。完成品メーカーは液晶表示パネルと面光源としてのバックライト装置とを組み合わせて表示モジュールを作製する。その表示モジュールは液晶表示パネルの駆動回路基板とともに、フロントキャビネットとバックキャビネットを有する薄型の筐体の内部に収容する。このようにすれば、液晶表示装置が完成する。
【０００５】
また、完成品メーカーは、液晶表示装置を販売する地域、またはその地域に近い地域に、製品を組み立てる工場を建設して、販売する地域に対応するデザイン、機能を備えた完成品の組立てを行い、販売するようにしている。
【０００６】
このような現状において、全世界において需要が拡大するに伴い、完成品として組み立てる際の組立て工数の削減および組み立て易さが求められる。また、組立てを行う工場に表示モジュールなどを輸送する場合の梱包方法の簡素化が求められている。
【先行技術文献】
【特許文献】
【０００７】
【特許文献１】特開２００９−１３９４２６号公報
【発明の概要】
【０００８】
本発明は、バックキャビネットを有する筐体と、この筐体の内部に設置された平面型表示パネルと、この平面型表示パネルの背面側に配置されたバックライト装置と、平面型表示パネルに画像を表示するための駆動回路を構成する回路基板とを備えたディスプレイ装置において、バックキャビネットに、バックライト装置、平面型表示パネルおよび平面型表示パネルに画像を表示するための駆動回路を構成する回路基板が収容可能な空間部を設け、バックキャビネット内に、バックライト装置および回路基板を収容して取り付けるとともに、平面型表示パネルを収容する位置に、平面型表示パネルと同一形状のダミーパネルを配置して梱包して搬送するものである。
【図面の簡単な説明】
【０００９】
【図１】図１は本発明の一実施の形態において、液晶表示装置の外観を示す正面図である。
【図２】図２は同液晶表示装置において、スタンドを取り外した状態を示す斜視図である。
【図３】図３は同液晶表示装置の全体構成の回路ブロックを示すブロック図である。
【図４】図４は同液晶表示装置の回路ブロックの配置例を説明するためにバックキャビネットを取り除いた状態を示す平面図である。
【図５】図５は同液晶表示装置を図２の５−５線で切断した状態を示す断面図である。
【図６】図６は図５のＢ部を拡大して示す拡大図である。
【図７】図７は同液晶表示装置の各部を分解して示す斜視図である。
【図８】図８は同液晶表示装置のバックキャビネットの内壁面を示す斜視図である。
【図９】図９は同液晶表示装置のバックライト装置を分解した状態を示す斜視図である。
【図１０Ａ】図１０Ａは本発明によるディスプレイ装置の製造方法を説明するための一説明図である。
【図１０Ｂ】図１０Ｂは本発明によるディスプレイ装置の製造方法を説明するための一説明図である。
【図１０Ｃ】図１０Ｃは本発明によるディスプレイ装置の製造方法を説明するための一説明図である。
【発明を実施するための形態】
【００１０】
以下、本発明の一実施の形態によるディスプレイ装置の製造方法について、液晶表示装置に使用する表示モジュールを例にとって図面を参照しながら説明する。
【００１１】
図１は本発明の一実施の形態において、液晶表示装置の外観を示す正面図、図２は同液晶表示装置において、スタンドを取り外した状態を示す斜視図、図３は同液晶表示装置の全体構成の回路ブロックを示すブロック図、図４は同液晶表示装置の回路ブロックの配置例を説明するためにバックキャビネットを取り除いた状態を示す平面図、図５は同液晶表示装置を図２の５−５線で切断した状態を示す断面図、図６は図５のＢ部を拡大して示す拡大図、図７は同液晶表示装置の各部を分解して示す斜視図である。
【００１２】
まず、図１、図２に示すように、液晶表示装置は、表示装置本体１と、この表示装置本体１を立てた状態で保持するスタンド２とを有している。表示装置本体１は、平面型表示パネルである液晶表示パネル３とバックライト装置４（図５に図示）とからなる表示モジュールを樹脂成型品などからなる筐体５内に収容することにより構成されている。また、筐体５は、液晶表示パネル３の画像表示領域に対応するように開口部６ａを設けたフロントキャビネット６と、このフロントキャビネット６と組み合わせられるバックキャビネット７とから構成されている。なお、６ｂはスピーカの音を外部に放出するためのスピーカグリルである。
【００１３】
また、図３、図４に示すように、液晶表示装置全体の概略構成は、液晶表示パネル３に画像を表示する駆動回路を備える。さらに、バックライト装置４の点灯を制御する点灯制御回路を備えた信号処理回路ブロック８と、液晶表示パネル３、バックライト装置４および信号処理回路ブロック８に電源電圧を供給するための電源ブロック９と、テレビジョン放送を受信して信号処理回路ブロック８に受信信号を供給するチューナ１０と、音を出力するためのスピーカ１１とから構成されている。また、信号処理回路ブロック８、電源ブロック９は、それぞれ回路基板に回路を構成する部品を搭載することにより構成されている。そして、信号処理回路ブロック８、電源ブロック９、チューナ１０などを搭載した回路基板は、バックライト装置４の背面とバックキャビネット７との間の空間に配置されるように取り付けられている。
【００１４】
なお、図３においては、スピーカを省略して示している。また、図４において、１２はＤＶＤプレーヤーなどの外部機器からの映像信号を液晶表示装置に入力するための外部信号入力端子で、信号処理回路ブロック８に搭載されている。
【００１５】
ここで、図５〜図７に示すように、本発明の液晶表示装置において、バックキャビネット７は、液晶表示パネル３とバックライト装置４からなる表示モジュール、および回路基板を収容可能な空間部７ａを有する。また、空間部７ａを形成する内底面には、バックライト装置４を支持するバックライト支持部７ｂ、７ｃが設けられている。このバックライト支持部７ｂ、７ｃには、バックライト装置４のフレーム４ａがビス１３により取り付けられている。
【００１６】
また、バックキャビネット７の内底面の周縁部には、液晶表示パネル３の外周縁部を支持する樹脂成型品からなるパネル支持部材１４を保持するためのパネル支持部７ｄが設けられている。パネル支持部材１４によって液晶表示パネル３の外周縁部を支持するとともに、断面形状が略Ｌ字形状の金属製のフレーム１５によって液晶表示パネル３の外周縁部をパネル支持部材１４に押し付けることにより、液晶表示パネル３がバックキャビネット７の空間部７ａの開口部周縁部に収容配置されている。なお、３ａは液晶表示パネル３の表示面に貼り付けられている偏向フィルムである。
【００１７】
ここで、バックキャビネット７の空間部７ａの開口部に配置された液晶表示パネル３は、バックライト装置４の背面側に配置した駆動回路を構成する回路基板に、バックライト装置４の外周に沿うように配置されるフレキシブル配線版（図示せず）を介して電気的に接続されている。
【００１８】
さらに、図６に示すように、バックキャビネット７は、その外周先端部７ｅをフロントキャビネット６の内周壁面に設けた嵌め合せ片６ｃに嵌め合せている。また、フロントキャビネット６をバックキャビネット７に、フロントキャビネット６側からビスにより取り付けることにより、表示モジュールや駆動回路を搭載した回路基板を収容する筐体が構成されている。図８にバックキャビネット７の内壁面を示しており、バックキャビネット７の外周部に設けたボス部７ｆにフロントキャビネット６がビスにて取り付けられる。
【００１９】
図９は同液晶表示装置のバックライト装置を分解した状態を示す斜視図である。図９に示すように、バックライト装置４は、液晶表示パネル３を背面側から照明するものである。具体的には、フレーム４ａ内に液晶表示パネル３と平行となるように配列された複数本の線状光源１６と、フレーム４ａに蓋をするように配置された拡散板１７とを備えている。
【００２０】
また、拡散板１７上には、拡散板１７を透過した光を拡散または集光するプリズムシートなどの光学シート１８が積層されている。フレーム４ａの内底面には、線状光源１６から発せられる光を拡散板１７側に反射する金属箔などからなる反射シート１９が略全面的に覆うように配設されているとともに、線状光源１６の延在方向に離間して、線状光源１６を保持するための一対の支持部材２０が配置されている。
【００２１】
ここで、線状光源１６としては、直管状の冷陰極蛍光ランプ（ＣＣＦＬ）が用いられており、これらが互いに平行に配列されている。そして、線状光源１６の両端部が支持部材２０で覆われている。また、フレーム４ａは、アルミニウム等の金属または樹脂で構成されるとともに、一方向に開口する箱形状をしている。箱形状のフレーム４ａは、線状光源１６の配列面と平行な底面を構成する底壁と、この底壁の周縁部から立ち上がる側壁とを有している。さらに、フレーム４ａの内底面には、拡散板１７を支持する拡散板支持部材２１が複数個配置されている。
【００２２】
拡散板１７は、線状光源１６と液晶表示パネル３との間に配設され、線状光源１６側の入射面から入射した光を拡散して液晶表示パネル３側の出射面から出射するものである。この拡散板１７は、ポリスチレンやポリカーボネートなどの透明な樹脂の射出成形により形成されている。具体的には、図９に示すように、拡散板１７は、線状光源１６を挟んで反射シート１９と反対側に配設されている。また、線状光源１６からの直射光および反射シート１９からの反射光を内部に入射させる入射面と、内部で拡散した光を出射させる出射面とを有している。上述した光学シート１８は出射面上に積層配置されている。
【００２３】
図１０Ａ〜Ｃは本発明によるディスプレイ装置の製造方法を説明するための説明図である。
【００２４】
上述したように、本発明によるディスプレイ装置には、バックキャビネット７に、バックライト装置４および液晶表示パネル３および液晶表示パネル３に画像を表示するための駆動回路を構成する回路基板が収容可能な空間部７ａを設けている。図１０Ａに示すように、バックキャビネット７内に、バックライト装置４および回路基板を収容して取り付け、液晶表示パネル３を収容する位置には、図１０Ｂに示すように、液晶表示パネル３と同一形状の樹脂板からなるダミーパネル３０を配置し、図１０Ｃに示すように、フロントキャビネット６を取り付けることにより、バックライト装置４および回路基板および筐体５の梱包を行う。一方、液晶表示パネル３は、別に梱包して搬送することにより、輸送途中の破損などを防ぐことができる。
【００２５】
そして、別々に梱包して搬送した後、ディスプレイ装置の組み立てを行う際には、図１０Ａ〜Ｃで説明した手順と逆の手順で、フロントキャビネット６を取り外し、バックキャビネット７に取り付けたダミーパネル３０を取り外す。その後、図１０Ａ〜Ｃに示す順番で、液晶表示パネル３を取り付け、液晶表示パネル３と回路基板との電気的接続を行った後、フロントキャビネット６の取り付けを行うことにより、ディスプレイ装置が完成される。なお、ダミーパネル３０は、取り外した後、回収して、再利用すればよい。なお、ダミーパネル３０は液晶表示パネル３と同一形状としているが、これは長方形状や正方形状というように、形状が同じ形状であるということを意味する。勿論、液晶表示パネル３の電気的接続のための端子部などについては、異なる形状となっている。また、ダミーパネル３０は、液晶表示パネル３と同一寸法である方が望ましいが、必ずしも全く同じ寸法である必要はない。
【００２６】
販売地域によっては、放送方式や好まれる画質、デザインが異なっており、その販売地域の顧客に応じた製品を供給する必要がある。しかし、本発明のように、梱包、搬送、組立を行う製造方法を採用すれば、販売地域の顧客に応じた製品の組立を販売地域で行う際に、供給部品の搬送が容易に行えるという効果が得られる。
【００２７】
このように本発明は、バックキャビネットを有する筐体と、この筐体の内部に設置された平面型表示パネルと、この平面型表示パネルの背面側に配置されたバックライト装置と、平面型表示パネルに画像を表示するための駆動回路を構成する回路基板とを備えたディスプレイ装置において、バックキャビネットに、バックライト装置、平面型表示パネルおよび平面型表示パネルに画像を表示するための駆動回路を構成する回路基板が収容可能な空間部を設け、バックキャビネット内に、バックライト装置および回路基板を収容して取り付けるとともに、平面型表示パネルを収容する位置に、平面型表示パネルと同一形状のダミーパネルを配置して梱包して搬送するものである。そのため、平面型表示パネルの破損を防ぐとともに、バックライト装置や回路基板の梱包に別の梱包部材を必要としないという効果が得られる。
【００２８】
また、平面型表示パネルは別に梱包して搬送し、ディスプレイ装置の組み立てを行う際に、前記バックキャビネットに取り付けたダミーパネルを取り外し、その後平面型表示パネルを取り付ける。そのため、搬送に使用したバックキャビネットを基準として、バックキャビネット内にバックライト装置、平面型表示パネル、回路基板を順次組み込むとともに、フロントキャビネットを取り付けることにより、完成品の組立てを行うことができる。したがって、別々に部品を梱包して搬送し、そして組み立てを行う場合に比べ、組み立て易くなるという効果が得られる。
【産業上の利用可能性】
【００２９】
以上のように本発明によれば、組立ての容易なディスプレイ装置を得る上で有用である。
【符号の説明】
【００３０】
１  表示装置本体
３  液晶表示パネル
４  バックライト装置
５  筐体
６  フロントキャビネット
７  バックキャビネット
７ａ  空間部
７ｂ，７ｃ  バックライト支持部
７ｄ  パネル支持部
１４  パネル支持部材
１５  フレーム
３０  ダミーパネル
【手続補正２】
【補正対象書類名】特許請求の範囲
【補正対象項目名】全文
【補正方法】変更
【補正の内容】
【特許請求の範囲】
【請求項１】
バックキャビネットを有する筐体と、この筐体の内部に設置された平面型表示パネルと、この平面型表示パネルの背面側に配置されたバックライト装置と、前記平面型表示パネルに画像を表示するための駆動回路を構成する回路基板とを備えたディスプレイ装置の製造方法において、
前記バックキャビネットに、前記バックライト装置、前記回路基板が収容可能な空間部を設け、前記バックキャビネット内に、前記バックライト装置および前記回路基板を収容して取り付けるとともに、前記平面型表示パネルを収容する位置に、前記平面型表示パネルと同一形状のダミーパネルを配置して梱包して搬送するディスプレイ装置の製造方法。
【請求項２】
バックキャビネットを有する筐体と、この筐体の内部に設置された平面型表示パネルと、この平面型表示パネルの背面側に配置されたバックライト装置と、前記平面型表示パネルに画像を表示するための駆動回路を構成する回路基板とを備えたディスプレイ装置の製造方法において、
前記バックキャビネットに、前記バックライト装置、前記回路基板が収容可能な空間部を設け、前記バックキャビネット内に、前記バックライト装置および前記回路基板を収容して取り付けるとともに、前記平面型表示パネルを収容する位置に、前記平面型表示パネルと同一形状のダミーパネルを配置して梱包し、前記平面型表示パネルは別に梱包して搬送し、前記ディスプレイ装置の組み立てを行う際に、前記バックキャビネットに取り付けたダミーパネルを取り外し、その後、前記平面型表示パネルを取り付けるディスプレイ装置の製造方法。
【手続補正３】
【補正対象書類名】図面
【補正対象項目名】全図
【補正方法】変更
【補正の内容】
【図１】
2012114701.tif 000015
【図２】
2012114701.tif 000016
【図３】
2012114701.tif 000017
【図４】
2012114701.tif 000018
【図５】
2012114701.tif 000019
【図６】
2012114701.tif 000020
【図７】
2012114701.tif 000021
【図８】
2012114701.tif 000022
【図９】
2012114701.tif 000023
【図１０Ａ】
2012114701.tif 000024
【図１０Ｂ】
2012114701.tif 000025
【図１０Ｃ】
2012114701.tif 000026
【国際調査報告】
2012114701.tif 000027
2012114701.tif 000028